(57)【要約】【課題】長期にわたる使用環境においても、形状、形態を維持させることにより、隙間が生じることなくプライバシーが確実に確保可能な簡易間仕切り構造を提供する。【解決手段】  ２枚の板状体Ｐ，Ｐが例えば縦長の起立状態で幅方向の端部（左又は右端部）から水平方向に一定幅内側部分Ｗで厚さ方向に重なるように並べられ、略１８０°に折り曲げられた２つの板状体連結具Ａ，Ａを用いて、その一方の連結具Ａの左右クリップ部１Ｌ，１Ｒがそれぞれ上記両板状体Ｐ，Ｐの上端部（天端部）に上側から外嵌合されて、連結具Ａが両板状体Ｐ，Ｐに跨るように取り付けられて一体に連結する。【選択図】図９
2010229713.tif 000002
【特許請求の範囲】
【請求項１】
木質繊維板からなる板状体と板状体連結具とで構成され、該板状体と該板状体連結具は壁面接続部と角隅部にて連結されている簡易間仕切り構造であって、該壁面接続部では、並立する１対の板状体のうち片方の板状体の左又は右端部から水平方向に一定幅内側部分と他方の板状体の左又は右端部から水平方向に一定幅内側部分とが並べて配置され、それぞれ板状体連結具が嵌合されて、該両板状体の左又は右端部から水平方向に一定幅内側部分が厚さ方向に重なるように連結されていることを特徴とする簡易間仕切り構造。
【請求項２】
角隅部では、近接する１対の板状体の片方の板状体の左又は右端部が他方の板状体の左又は右端部から水平方向に一定幅内側部分の表面又は裏面に突き合わされて配置され、それぞれ板状体連結具が嵌合されて、該両板状体が略Ｔ字型で連結されていることを特徴とする請求項１の簡易間仕切り構造。
【請求項３】
請求項１または請求項２の板状体連結具において、各々、基部と該基部の一端に折り返し状態に連続する挟み込み部とからなり、板状体に端部から、該板状体を上記基部と挟み込み部との間に挟み込むように外嵌合可能な１対のクリップ部と、上記両クリップ部の基部同士を両クリップ部が間隔をあけて並んだ状態で折り曲げ可能に一体的に連結する連結部とを備えたことを特徴とする板状体連結具。
【発明の詳細な説明】
【技術分野】
【０００１】
本発明は、板状体連結具を用いて板状体同士を連結する簡易間仕切り構造に関する。
【背景技術】
【０００２】
地震や台風に代表される自然災害が発生した場合の避難場所として、学校の体育館や公民館等の公共施設が使われるが、多くの人が長期にわたる避難場所での生活においてはプライバシー確保も重要である。そこで本出願人は、特許文献１にて木質繊維板からなる板状体と板状体連結具とで構成される断熱性や施工性に優れた簡易間仕切り構造、簡易間仕切りセットを提案している。これによるとお年寄りや子供でも簡単に運搬し組み立てることができ、非常時の簡易間仕切りとして特に有用である。
【先行技術文献】
【特許文献】
【０００３】
【特許文献１】特開２００９−２４３５３号公報
【発明の概要】
【発明が解決しようとする課題】
【０００４】
しかしながら、多くの人が共同生活を長期間余儀なくされるなかで、避難場所は必ずしも快適な温湿度環境が保たれるとはいえず、隙間風にあおられたり、生活水による濡れが発生するなど、木質繊維板からなる板状体の劣化原因は少なくない。また、特に高いプライバシーが求められる更衣室や授乳室として区画する場合には、板状体を長さ方向に垂直に立てて背の高い簡易間仕切りとして組み立てが可能であるが、背が高いので目隠し効果としては有効であるものの、逆に構造としては不安定となって、設置環境によっては板状体のへたりや膨れ等の変形による隙間が簡易間仕切り構造に生じる虞れがあり問題であった。簡易間仕切り構造として安定させるためには、板状体の厚さを増したり、多くの板状体連結具を用いて嵌合させることが考えられるが、簡易間仕切りとして取扱性が低下したり、コスト上昇を招くことになるだけでなく、これらの保管のための広いスペースが必要となってしまって実用性に劣ることとなる。
【０００５】
本発明は斯かる諸点に鑑みてなされたもので、その目的は、長期にわたる使用環境においても、形状、形態を維持させることにより、隙間が生じることなくプライバシーが確実に確保可能な簡易間仕切り構造を提供することにある。
【課題を解決するための手段】
【０００６】
上記の目的を達成すべく、請求項１の発明の簡易間仕切り構造は、木質繊維板からなる板状体と板状体連結具とで構成され、該板状体と該板状体連結具は壁面接続部と角隅部にて連結されている簡易間仕切り構造であって、該壁面接続部では、並立する１対の板状体のうち片方の板状体の左又は右端部から水平方向に一定幅内側部分と他方の板状体の左又は右端部から水平方向に一定幅内側部分とが並べて配置され、それぞれ板状体連結具が嵌合されて、該両板状体の左又は右端部から水平方向に一定幅内側部分が厚さ方向に重なるように連結されていることを特徴とする。
【０００７】
上記の構造によると、壁面接続部では、並立する１対の板状体のうち片方の板状体の左又は右端部から水平方向に一定幅内側部分と他方の板状体の左又は右端部から水平方向に一定幅内側部分とが並べて配置され、それぞれ板状体連結具が嵌合されて、該両板状体の左又は右端部から水平方向に一定幅内側部分が厚さ方向に重なるように連結されているので、強度が増して変形しにくく、隙間が生じにくいため、プライバシーが確実に確保可能である。
【０００８】
また、並立する１対の板状体の左又は右端部から水平方向に一定幅内側部分（例えば、板状体が縦長の起立状態であれば幅方向の端部から一定幅内側部分）が厚さ方向に重なるように連結されている構造なので、１対の板状体を左右端部にて突き付けて直線状に隣接連結されている構造に比べて強固に連結され、板状体が表面方向あるいは裏面方向に湾曲して隙間が生じたとしても、目隠し効果が働くのでプライバシー確保がしやすい。尚、壁面接続部における一方の板状体の左又は右端部を予めガムテープ等で他方の板状体表面又は裏面と貼着することにより、更に強固に連結することができるが、貼着したガムテープが剥がれたとしても、目隠し効果は損なわないので、多少の隙間を気にすることなく使用を続けることができる。
【０００９】
そして、この簡易間仕切り構造では、板状体が木質繊維板からなるので、以下の効果も得られる。木質繊維板からなる板状体は軽量で取扱いがし易く、運搬性も高い。また、長期保管にも適するとともに、リサイクル性も高い。さらに、木質繊維板からなる板状体の吸放湿性及び吸音性が高く、避難所内での快適性が向上する。また、木質繊維板からなる板状体はクッション性や衝撃吸収性があり、子供がぶつかっても問題はない。木質繊維板からなる板状体は断熱性や吸放湿性が高く、クッション性も高いので、敷床にも適している。
【００１０】
請求項２の発明の簡易間仕切り構造は、請求項１の簡易間仕切り構造において、角隅部では、近接する１対の板状体の片方の板状体の左又は右端部が他方の板状体の左又は右端部から水平方向に一定幅内側部分の表面又は裏面に突き合わされて配置され、それぞれ板状体連結具が嵌合されて、該両板状体が略Ｔ字型で連結されていることを特徴とする。
【００１１】
上記の構造によると、角隅部では、近接する１対の板状体の片方の板状体の左又は右端部が他方の板状体の左又は右端部から水平方向に一定幅内側部分の表面又は裏面に突き合わされて配置され、それぞれ板状体連結具が嵌合されて、該両板状体が略Ｔ字型で連結されているので、更に強度が増して変形しにくく、隙間が生じにくいため、プライバシーが確実に確保可能である。
【００１２】
また、１対の板状体が略Ｔ字型で連結されている構造なので、１対の板状体を端部同士にて直角に突き付けて連結されている構造に比べて強固に連結され、簡易間仕切りが倒壊する恐れも小さく、板状体が表面方向あるいは裏面方向に湾曲して隙間が生じたとしても、目隠し効果が働くのでプライバシー確保がしやすい。また、片方の板状体が設置位置にて左右に多少のズレが生じても隙間が生じにくい。尚、角隅部における一方の板状体の端部を予めガムテープ等で突き合わされた他方の板状体表面又は裏面と貼着することにより、更に強固に連結することができるが、貼着したガムテープが剥がれたとしても、目隠し効果は損なわないので、多少の隙間を気にすることなく使用を続けることができる。
【００１３】
請求項３の発明の板状体連結具は、請求項１または請求項２の簡易間仕切り構造を構成する板状体連結具であって、各々、基部と該基部の一端に折り返し状態に連続する挟み込み部とからなり、板状体に端部から、該板状体を上記基部と挟み込み部との間に挟み込むように外嵌合可能な１対のクリップ部と、これら両クリップ部の基部同士を両クリップ部が間隔をあけて並んだ状態で折り曲げ可能に一体的に連結する連結部とを備えたことを特徴とする。
【００１４】
上記の構成によると、板状体連結具を用いて２つの板状体を連結する場合、板状体連結具のクリップ部をそれぞれ板状体に該各クリップ部の基部と挟み込み部との間に板状体が挟み込まれるように外嵌合して取り付けることで、両板状体が板状体連結具を介して一体的に連結される。このように板状体連結具のクリップ部をそれぞれ板状体に嵌めるだけで両板状体が連結されるので、簡易間仕切りを簡単に組み立てることができる。
【００１５】
特に板状体連結具の連結部において簡単に折り曲げ可能としているので、例えば略１８０度に折り曲げた状態で、１対の木質繊維板からなる板状体に嵌合することで、該両板状体の端部から一定幅部分が厚さ方向に重なるように簡単かつ強固に連結することができる。
【００１６】
また、板状体連結具のクリップ部を板状体に嵌めるだけの構造であるので、その板状体連結具を簡単に板状体から取り外すことができ、組み立てた簡易間仕切りを組み立て直したり、解体して保管したりすることも容易にできる。
【００１７】
尚、簡易間仕切りを組み立てるとき、板状体連結具が連結部で折り曲げられていない状態では、クリップ部が並んだ状態であるので、両板状体は直線状に並んで連結される。そして、板状体連結具を折り曲げ可能な連結部で折り曲げることによって、両板状体を折れ曲がって（交差して）並んだ状態に連結することができ、その連結部の折り曲げ角度の選択によって、両板状体の連結角度（交差角度）を適宜変えることができる。このことで、１種類の板状体連結具で、両板状体を直線状、Ｌ字状、Ｔ字状、十字状に連結することができ、その他の角度にも連結部で自在に折り曲げて、現場の区画形状が鋭角や鈍角であるときにも容易に適用することができる。
【００１８】
また、板状体連結具のクリップ部は板状体に端部から、該板状体を基部と挟み込み部との間に挟み込むように外嵌合可能であるので、その板状体の上端部（天端部）又は下端部（地端部）を問わず１種類の板状体連結具を組み付けることができる。
【００１９】
さらに、連結部で折り曲げられていない状態の板状体連結具は、その連結部により１対のクリップ部の基部同士を一体に連結した直線形状のものであるので、不使用時の保管に適する。
【００２０】
また、板状体連結具が１種類だけで壁面接続部も角隅部も連結することができるので、複数のものを用意する必要がなく、その管理が容易である。しかも、１種類の板状体連結具を用いて板状体を連結すればよいので、簡易間仕切りの組立時に混乱することがない。
【００２１】
更に、請求項３の発明の板状体連結具では、上記クリップ部は弾性を有するものとすることができる。このことで、弾性を有するクリップ部を板状体に嵌めたときに、基部と挟み込み部との間に板状体が押圧されて挟み込まれるようになり、その押圧によって板状体が安易に抜け出さず、板状体同士を安定して連結することができる。
【００２２】
また、請求項３の発明の板状体連結具では、板状体連結具が金属製のもので、その連結部は両クリップ部の基部と一体のものとし、その連結部に連結部での折り曲げ操作を容易にするための脆弱部が形成されているものとすることができる。
【００２３】
このことで、脆弱部によって連結部を弱い力でも簡単に折り曲げることができ、特に、実際に簡易間仕切りの組立作業が必要とされると予想される老人、女性、子供等の弱者でも取扱い易くなる。
【００２４】
また、板状体連結具が金属製であるので、連結部の折曲げ状態を安定して固定保持でき、簡易間仕切りの組立作業が容易となるとともに、板状体連結具の長期間の保管やリサイクル性に好適となる。
【００２５】
更に、請求項３の発明の板状体連結具では、上記脆弱部は連結部に沿って不連続に形成された複数の孔であることとすることができる。このことで、連結部に脆弱部を容易に形成することができる。
【発明の効果】
【００２６】
以上説明のように、請求項１の発明の簡易間仕切り構造によると、木質繊維板からなる板状体と板状体連結具とで構成され、該板状体と該板状体連結具は壁面接続部と角隅部にて連結されている簡易間仕切り構造であって、該壁面接続部では、並立する１対の板状体のうち片方の板状体の左又は右端部から水平方向に一定幅内側部分と他方の板状体の左又は右端部から水平方向に一定幅内側部分とが並べて配置され、それぞれ板状体連結具が嵌合されて、該両板状体の左又は右端部から水平方向に一定幅内側部分が厚さ方向に重なるように連結されているので、強度が増して変形しにくく、隙間が生じにくいため、プライバシーが確実に確保可能である。
【００２７】
また、並立する１対の板状体の左又は右端部から水平方向に一定幅内側部分（例えば、板状体が縦長の起立状態であれば幅方向の端部から一定幅内側部分）が厚さ方向に重なるように連結されている構造なので、１対の板状体を左右端部にて突き付けて直線状に隣接連結されている構造に比べて強固に連結することができ、板状体が表面方向あるいは裏面方向に湾曲して隙間が生じたとしても、目隠し効果が働くのでプライバシー確保がしやすい。尚、壁面接続部における一方の板状体の左又は右端部を予めガムテープ等で他方の板状体表面又は裏面と貼着することにより、更に強固に連結することができるが、貼着したガムテープが剥がれたとしても、目隠し効果は損なわないので、多少の隙間を気にすることなく使用を続けることができる。
【００２８】
また、木質繊維板からなる板状体は取扱い性、運搬性、長期保管性やリサイクル性を高めることができるとともに、吸放湿性及び吸音性が高くて、避難所内での快適性を向上させることができ、さらには、クッション性や衝撃吸収性が得られ、断熱性や吸放湿性が高く、敷床にも適し、立てて設置しても形状を長期に亘り安定して維持でき、プライバシーが要求される間仕切りとして設置利用が可能である。
【００２９】
請求項２の発明の簡易間仕切り構造によると、請求項１の発明の効果に加えて、角隅部では、近接する１対の板状体の片方の板状体の左又は右端部が他方の板状体の左又は右端部から水平方向に一定幅内側部分の表面又は裏面に突き合わされて配置され、それぞれ板状体連結具が嵌合されて、該両板状体が略Ｔ字型で連結されているので、更に強度が増して変形しにくく、隙間が生じにくいため、プライバシーが確実に確保可能である。
【００３０】
また、１対の板状体が略Ｔ字型で連結されている構造なので、１対の板状体を端部同士にて直角に突き付けて連結されている構造に比べて強固に連結され、簡易間仕切りが倒壊する恐れも小さく、板状体が表面方向あるいは裏面方向に湾曲して隙間が生じたとしても、目隠し効果が働くのでプライバシー確保がしやすい。また、片方の板状体が設置位置にて左右に多少のズレが生じても隙間が生じにくい。尚、角隅部における一方の板状体の左又は右端部を予めガムテープ等で突き合わされた他方の板状体表面又は裏面と貼着することにより、更に強固に連結することができるが、貼着したガムテープが剥がれたとしても、目隠し効果は損なわないので、多少の隙間を気にすることなく使用を続けることができる。
【００３１】
請求項３の発明の板状体連結具によると、板状体を基部と挟み込み部との間に挟み込むように外嵌合可能な１対のクリップ部と、これら両クリップ部の基部同士を両クリップ部が間隔をあけて並んだ状態で折り曲げ可能に一体的に連結する連結部とを備えたことにより、板状体連結具のクリップ部をそれぞれ板状体に嵌めるだけで両板状体を連結して、簡易間仕切りを簡単に組み立てることができる。
【００３２】
また、板状体連結具は嵌めるだけ構造であるので、その板状体連結具を簡単に取り外すことができ、組み立てた簡易間仕切りを組み立て直したり解体して保管したりすることが容易にできる。また、連結部を折り曲げることによって両板状体の連結角度を適宜変え、１種類の板状体連結具で両板状体を直線状、Ｌ字状、Ｔ字状、十字状に連結して、現場の区画形状が鋭角や鈍角であるときにも容易に適用することができる。
【００３３】
また、板状体の上端部又は下端部を問わず１種類の板状体連結具を組み付けることができる。さらに、連結部で折り曲げられていない状態の板状体連結具は、直線形状のもので、不使用時の保管に適する。また、板状体連結具が１種類だけであるので、その管理が容易であるとともに、簡易間仕切りの組立時に混乱することがない。
【図面の簡単な説明】
【００３４】
【図１】図１は、本発明の実施形態に係る板状体連結具の斜視図である。
【図２】図２は、板状体連結具の正面図である。
【図３】図３は、板状体連結具の背面図である。
【図４】図４は、板状体連結具の側面図である。
【図５】図５は、板状体連結具を直角に折り曲げた状態を示す斜視図である。
【図６】図６は、板状体連結具を１８０°折り曲げた状態を示す斜視図である。
【図７】図７は、板状体連結具により２枚の板状体が厚さ方向に重なるよう連結された壁面接続部における間仕切り構造を示す斜視図である。
【図８】図８は、板状体連結具により２枚の板状体がＴ字型に連結された角隅部における間仕切り構造を示す斜視図である。
【図９】図９は、板状体連結具により板状体が壁面接続部や角隅部にて連結されて床面上に作られた簡易間仕切りを示す斜視図である。
【発明を実施するための形態】
【００３５】
以下、本発明の最良の実施形態を図面に基づいて詳細に説明する。以下の好ましい実施形態の説明は、本質的に例示に過ぎず、本発明、その適用物或いはその用途を制限することを意図するものでは全くない。
【００３６】
（板状体）
上記板状体Ｐは木質繊維板からなり、木質繊維と結合剤とを主成分として湿式抄造又は乾式で製造されるパネルである。例えばタタミボード、インシュレーションボード、ＭＤＦ、ハードボード等が挙げられる。特に密度０．４０ｇ／ｃｍ3未満のものが、軽量でクッション性があり、断熱性も高いので望ましい。
【００３７】
板状体Ｐのサイズは適宜でよいが、例えば厚さ１１.５ｍｍ、幅９１０ｍｍ、長さ１８２０ｍｍ程度の大きさものが取扱性がよいので好ましい。
【００３８】
尚、この板状体Ｐは、木質繊維板からなるパネルであるので、現場で必要な板状体連結具Ａの数が不足した場合には、一般的なクラフトテープやガムテープ等を利用して張り合わせて、一時補強的に連結することも可能である。
【００３９】
（板状体連結具）
図１〜図４は本発明の実施形態に係る板状体連結具Ａを示し、この板状体連結具Ａは鉄や非鉄金属等の金属からなる。板状体連結具Ａは薄板状のもので、弾性を持つ左右１対のクリップ部１Ｌ，１Ｒと、それら左右の両クリップ部１Ｌ，１Ｒを一体に連結する連結部７とからなる。
【００４０】
上記各クリップ部１Ｌ，１Ｒは、矩形平板状の基部２と、この基部２の一端（図２〜図４の上端）から前側（図４の左側）に略直角に折り曲げられた矩形平板状の接続部３と、この接続部３の前端（図４の左端）から下方に略直角に基部２と略平行に折り曲げられた挟み込み部４とからなる。すなわち、挟み込み部４は基部２の一端に折り返し状態に連続し、この挟み込み部４と基部２との間には所定の間隔（後述する板状体Ｐの厚さよりも若干大きい間隔）があけられている。そして、挟み込み部４は、その上下長さが基部２の上下長さよりも短く、基部２との上記間隔が上側から下側に向かって次第に小さくなるように基部２に対して少し傾斜している。さらに、挟み込み部４の下端部（先端部）には、下側に向かって前側に向かう方向（基部２との間隔が大きくなる方向）に傾斜するように折り曲げられた傾斜案内部４ａが形成されており、各クリップ部１Ｌ，１Ｒは、板状体Ｐ（パネル）にその端部から、基部２と挟み込み部４との間に板状体Ｐを挟み込むように外嵌合可能となっている。
【００４１】
一方、上記連結部７は、上記左右の両クリップ部１Ｌ，１Ｒの基部２，２と面一に連続するように一体形成されたもので、両クリップ部１Ｌ，１Ｒの基部２，２同士を両クリップ部１Ｌ，１Ｒが左右方向に間隔をあけて並んだ状態で連結しており、この連結部７において両クリップ部１Ｌ，１Ｒが、例えば図５に示すように、上側から見て左側クリップ部１Ｌが時計回り方向に回動し、右側クリップ部１Ｒが反時計回り方向に回動するように、後側に折り曲げ角度θ（０≦θ≦１８０°）で折り曲げ可能となっている。
【００４２】
さらに、上記連結部７には、該連結部７での折り曲げ操作を容易にするための脆弱部８が形成されている。具体的には、この脆弱部８は連結部７に沿って上下方向に一定の間隔をあけて不連続に形成された複数（例えば図示例のように３つ）の縦長矩形状の長孔９，９，…からなる。脆弱部８を構成する孔は上記の如き長孔９，９，…に限定されず、他の形状のものでもよい。
【００４３】
尚、上記各クリップ部１Ｌ，１Ｒにおける基部２下端の外側（左側クリップ部１Ｌでは左側、右側クリップ部１Ｒでは右側）の角部と、挟み込み部４の下端左右角部とにはいずれも面取り状に斜めに切り欠かれて面取り部１１，１１，…が形成されている。
【００４４】
（簡易間仕切り構造）
上記板状体Ｐと板状体連結具Ａとで本発明の実施形態に係る簡易間仕切り構造が得られる。この簡易間仕切り構造においては、図７〜図８に示すように、壁面接続部Ｃ１や角隅部Ｃ２にて並立あるいは近接する１対の木質繊維板からなる板状体Ｐ，Ｐにそれぞれ板状体連結具Ａの左右クリップ部１Ｌ，１Ｒが外嵌合されて、該両板状体Ｐが連結されている。
【００４５】
すなわち、図７は板状体連結具Ａにより２枚の板状体Ｐ，Ｐが一方向に連結された壁面接続部Ｃ１での間仕切り構造を示し、２枚の板状体Ｐ，Ｐが例えば縦長の起立状態で幅方向の端部にて水平方向に一定幅内側部分Ｗ（Ｗは１００ｍｍ程度が望ましいが、板状体連結具が嵌合できる幅であれば特に限定されない）で厚さ方向に重なるように並べられ、図６に示すように略１８０°に折り曲げられた（θ＝０°である）２つの板状体連結具Ａ，Ａを用いて、その一方の連結具Ａの左右クリップ部１Ｌ，１Ｒがそれぞれ上記両板状体Ｐ，Ｐの上端部（天端部）に上側から外嵌合されて、連結具Ａが両板状体Ｐ，Ｐに跨るように取り付けられている。また、両板状体Ｐ，Ｐの下端部（地端部）に他方の板状体連結具Ａの左右クリップ部１Ｌ，１Ｒがそれぞれ下側から外嵌合されている。このことで両板状体Ｐ，Ｐが幅方向の端部にて水平方向に一定幅内側部分Ｗで厚さ方向に重なるように連結されて間仕切り壁が構成され、この間仕切り壁によって２つの空間（Ｚ１、Ｚ２）が区画形成される。このように板状体Ｐの上端部（天端部）と下端部（地端部）との上下２箇所に連結具Ａを嵌めると、間仕切りの剛性や強度が大きくなって望ましいが、上端部（天端部）のみでも可能である。
【００４６】
図８は２つの板状体連結具Ａ，Ａにより２枚の同じ板状体Ｐ，Ｐが略９０°の角度でＬ字状に連結された角隅部Ｃ２での間仕切り構造を示し、両板状体Ｐ，Ｐが縦長の起立状態で、片方の板状体Ｐの幅方向の端部が、他方の板状体Ｐの幅方向の端部から水平方向に一定幅内側部分Ｗ’（Ｗ’は１００ｍｍ程度が望ましいが、板状体連結具が嵌合できる幅であれば特に限定されない）の表面に突き合わされて直角（略Ｔ字型）に配置され、図５に示すように後側に直角に折り曲げられた（θ＝９０°である）２つの板状体連結具Ａ，Ａを用い、その一方の連結具Ａの左右クリップ部１Ｌ，１Ｒがそれぞれ並べられた両板状体Ｐ，Ｐの上端部（天端部）に上側から外嵌合されている。また、両板状体Ｐ，Ｐの下端部（地端部）に他方の板状体連結具Ａの左右クリップ部１Ｌ，１Ｒがそれぞれ外嵌合されている。このことで両板状体Ｐ，ＰがＴ字状に連結されて間仕切り壁が構成され、この間仕切り壁によって内外３つの空間（Ｚ１、Ｚ２、Ｚ３）が区画形成される。この場合も上端部（天端部）のみを連結具Ａで連結してもよい。
【００４７】
尚、図９は大きさの異なる複数種類の板状体Ｐ，Ｐ，…が複数の連結具Ａ，Ａ，…により連結されて床面上に形成された簡易間仕切りを示し、この簡易間仕切りによって出入り口を有する１つの空間が形成され、壁面接続部と角隅部での連結構造は少なくとも上記図７〜図８に示すものが用いられている。
【００４８】
（簡易間仕切りセット）
更には上記必要な数の板状体連結具Ａを所定枚数の板状体Ｐと組み合わせることで、簡易間仕切りセットを構成することができる。
【００４９】
（その他の実施形態）
板状体連結具Ａが連結部７で折り曲げられていない状態では、両板状体Ｐ，Ｐが直線状に並んで連結される一方、連結部７で折り曲げた状態では、両板状体Ｐ，Ｐが折れ曲がって（交差して）並んだ状態に連結され、その連結部７の折り曲げ角度θの選択によって両板状体Ｐ，Ｐの連結角度（交差角度）が適宜変更される。このことで、１種類の板状体連結具Ａで、両板状体Ｐ，Ｐを直線状、Ｌ字状、Ｔ字状、十字状に連結することができ、その他の角度にも連結部７で自在に折り曲げて、現場の区画形状が鋭角や鈍角であるときにも容易に適用することができる。
【００５０】
また、板状体連結具Ａのクリップ部１Ｌ，１Ｒは板状体Ｐに端部から、該板状体Ｐを基部２と挟み込み部４との間に挟み込むように外嵌合可能であるので、その板状体Ｐの上端部（天端部）又は下端部（地端部）を問わず１種類の板状体連結具Ａを組み付けることができる。
【００５１】
また、板状体連結具Ａのクリップ部１Ｌ，１Ｒが弾性を有するので、そのクリップ部１Ｌ，１Ｒに板状体Ｐに嵌めたときに基部２と挟み込み部４との間に板状体Ｐが押圧されて挟み込まれるようになり、その押圧によって板状体Ｐが安易に抜け出さず、板状体Ｐ，Ｐ同士を安定して連結することができる。
【００５２】
さらに、板状体連結具Ａは、連結部７で折り曲げられていない状態では、その連結部７により１対のクリップ部１Ｌ，１Ｒの基部２，２同士を一体に連結した直線形状のものであるので、不使用時に嵩張ることがなく、その保管に適する。
【００５３】
また、板状体連結具Ａが１種類だけであるので、複数のものを用意する必要がなく、その管理が容易である。しかも、１種類の板状体連結具Ａを用いて板状体Ｐ，Ｐを連結すればよいので、簡易間仕切りの組立時に混乱することがない。
【００５４】
しかも、板状体連結具Ａは金属製のもので、その連結部７は両クリップ部１Ｌ，１Ｒの基部２，２と一体のものであり、その連結部７に連結部７での折り曲げ操作を容易にするための脆弱部８が形成されているものの場合には、その脆弱部８によって連結部７を弱いカでも簡単に折り曲げることができ、特に、実際に簡易間仕切りの組立作業が必要とされると予想される老人、女性、子供等の弱者でも取扱いが容易となる。また、上記脆弱部８が連結部７に沿って不連続に形成された複数の長孔９，９，…であるので、連結部７に脆弱部８を容易に形成できる。
【００５５】
また、板状体連結具Ａの材質が金属であるれば、連結部７の折曲げ状態を安定して固定でき、簡易間仕切りの組立作業が容易となるとともに、板状体連結具Ａの長期間の保管やリサイクル性に好適となる。
【００５６】
尚、上記実施形態では、連結部７の脆弱部８を不連続に形成された複数の孔９，９，…としているが、その他、例えば他の部分よりも薄肉とされた薄肉部で構成してもよい。また、脆弱部８を設けることは必須ではないが、連結部７での折り曲げ操作を容易にできる点で脆弱部８を形成するのが好ましい。
【００５７】
また、上記実施形態では、板状体連結具Ａにおける連結部７を、左右１対の両クリップ部１Ｌ，１Ｒの基部２，２と一体に連続したものとしているが、これに代え、連結部７を蝶番としてもよい。こうすると、連結部７を弱い力でも簡単に折り曲げることができ、特に、実際に簡易間仕切りの組立作業が必要とされると予想される老人、女性、子供等の弱者でも取扱いがし易くなる。
【００５８】
また、上記実施形態では、板状体連結具Ａを金属製のものとしているが、その他の材質として樹脂、ゴム、紙等が挙げられる。しかし、長期保管に適し、リサイクル性も高いという理由から、特に適しているのは上記実施形態の如き鉄、非鉄金属等の金属が好ましい。
【実施例】
【００５９】
次に、具体的に実施した例について説明する。板状体は密度０．３０ｇ／ｃｍ3の木質繊維板からなり、厚さ１１．５ｍｍ、幅９１０ｍｍ、長さ１８２０ｍｍであった。板状体連結具は厚さ０．８ｍｍの亜鉛鋼板製のものとした。その前後厚さは１２．５ｍｍ、上下長さは５０ｍｍ、左右幅は８６ｍｍであり、左右中央の連結部に縦長の長孔を３箇所に開けた。
【００６０】
２枚の板状体が縦長の起立状態で幅方向の左又は右端部から水平方向に１００ｍｍ幅までの内側部分で厚さ方向に重なるように並べたのち、連結部で略１８０°折り曲げた板状体連結具を両板状体に跨るように取り付けて連結し、簡易間仕切り構造の壁面接続部を構成することができた。さらに、２枚の板状体を縦長の起立状態で片方の板状体の幅方向左端部が、他方の板状体の幅方向右端部から水平方向に内側１００ｍｍの表面部分に突き合わされるよう配置し、連結部で略９０°折り曲げた板状体連結具を両板状体に跨るように取り付けて連結し、簡易間仕切り構造の角隅部を構成することができた。また、１種類の板状体連結具で板状体を直線状、Ｌ字状、Ｔ字状、十字状に連結することができた。また、簡単に板状体連結具を取り外して木質繊維板を敷床としても転用することができた。
【産業上の利用可能性】
【００６１】
本発明は、１種類の板状体連結具で両板状体を連結して簡易間仕切りを簡単に組み立てることができるので、極めて有用で産業上の利用可能性が高い。
【符号の説明】
【００６２】
Ｐ  板状体
Ａ  板状体連結具
１Ｌ，１Ｒ  クリップ部
２  基部
４  挟み込み部
７  連結部
８  脆弱部
９  長孔
Ｃ１  壁面接続部
Ｃ２  角隅部
【図１】
2010229713.tif 000003
【図２】
2010229713.tif 000004
【図３】
2010229713.tif 000005
【図４】
2010229713.tif 000006
【図５】
2010229713.tif 000007
【図６】
2010229713.tif 000008
【図７】
2010229713.tif 000009
【図８】
2010229713.tif 000010
【図９】
2010229713.tif 000011